(57)【要約】      （修正有）【課題】小さな外形の非対称のステントを備えるステント部材を提供する。【解決手段】模擬された動脈内のステント３００の近位側および遠位側の頂点３０２，３０４は、動脈壁３１０にほとんどまたは全く圧力を作用しない。一方、中間領域は、より大きな圧力を作用し、図示された実施例では、合計約０．４２０重量ポンドの径方向の封止力を与える。この構成は、１８フレンチに丸められてもよく、この場合頂点において９％以下の最大曲げ歪みを有する。この実施例のより大きな封止力は、既存のｚステントと比較して、特定の環境におけるステントの配置および保持に対する利点を提供する。【選択図】図９
2019134922.tif 000002
【特許請求の範囲】
【請求項１】
第一の略直線部および第二の略直線部と、前記第一の略直線部および前記第二の略直線部の間に配置され第一の曲率半径を有する第一の曲線部と、を含む、少なくとも一つの遠位側の頂点と、
第三の略直線部および第四の略直線部と、前記第三の略直線部および前記第四の略直線部の間に配置され前記第一の曲率半径よりも大きい第二の曲率半径を有する第二の曲線部と、を含む、少なくとも一つの近位側の頂点と、を備え、
前記第一の略直線部と前記第二の略直線部との少なくとも一方は、前記第三の略直線部と前記第四の略直線部との少なくとも一方に連結する、ステント部材。
【請求項２】
前記第二の曲率半径は、前記第一の曲率半径の少なくとも二倍である、請求項１に記載のステント部材。
【請求項３】
略連続する複数の遠位側の頂点と近位側の頂点とを備え、その外面は略不変の円周を有する円筒を規定する、請求項１または請求項２に記載のステント部材。
【請求項４】
前記第一の曲率半径は、約０．５ｍｍ〜約１．５ｍｍである、請求項１から請求項３のいずれかに記載のステント部材。
【請求項５】
前記第二の曲率半径は、約４ｍｍ〜約９ｍｍである、請求項１から請求項４のいずれかに記載のステント部材。
【請求項６】
前記第一の曲率半径はほぼ１ｍｍであり、前記第二の曲率半径はほぼ６ｍｍである、請求項１から請求項５のいずれかに記載のステント部材。
【請求項７】
前記第二の曲率半径に対する前記第一の曲率半径の比は、約１：２．６〜約１：１８である、請求項１から請求項５のいずれかに記載のステント部材。
【請求項８】
前記近位側の頂点の各々は、周方向に前記遠位側の頂点からずれている、請求項１から請求項７のいずれかに記載のステント部材。
【請求項９】
略連続する複数の近位側の頂点と遠位側の頂点とを備え、その外面は円錐台を規定する、請求項１から請求項８のいずれかに記載のステント部材。
【請求項１０】
前記近位側の頂点の少なくとも一つは、前記第二の曲線部から離れて配置された第一の丸みと第二の丸みとを備え、前記第一の丸みは第一の丸み曲率半径を有し、前記第二の丸みは第二の丸み曲率半径を有する、請求項１から請求項９のいずれかに記載のステント部材。
【請求項１１】
前記第一の丸み曲率半径と前記第二の丸み曲率半径との各々はほぼ１ｍｍの曲率半径を有し、前記第一の曲線部はほぼ０．５ｍｍの曲率半径を有する、請求項１０に記載のステント部材。
【請求項１２】
前記第一および第二の丸み曲率半径に対する前記第一の曲線部の曲率半径の比は、約１：１〜約１：１０である、請求項１０または１０に記載のステント部材。
【請求項１３】
グラフトをさらに備え、前記ステント部材の遠位側の頂点の少なくとも一つは一つ以上の縫合糸を使用して前記グラフトに取り付けられる、請求項１から請求項１２のいずれかに記載のステント部材。
【請求項１４】
グラフトをさらに備え、遠位側の頂点の少なくとも一つが前記グラフトに縫合され、近位側の頂点の少なくとも一つが前記グラフトの近位端を越えて延在して、前記ステントは前記グラフとの前記近位端に配置されている、請求項１から請求項１２のいずれかに記載のステント部材。
【請求項１５】
前記ステントは、前記曲線部と前記直線部とを有し略円筒を規定する金属線を含み、
前記第一の曲率半径は約１ｍｍであり、
前記第二の曲率半径は約６ｍｍである、請求項１から請求項３のいずれかに記載のステント部材。
【請求項１６】
複数の近位側の頂点と、複数の略直線部によって前記近位側の頂点に連結された複数の遠位側の頂点と、を備え、
近位側の頂点の各々は第一の曲線部を含み、遠位側の頂点の各々は第二の曲線部を含み、
前記第一の曲線部と前記第二の曲線部との各々は、少なくとも一つの曲率半径を有し、前記近位側の頂点の少なくとも一つの前記曲率半径は前記遠位側の頂点の少なくとも一つの前記曲率半径よりも大きい、ステント部材。
【請求項１７】
前記近位側の頂点の外周は、前記遠位側の頂点の外周よりも大きい、請求項１６に記載のステント部材。
【請求項１８】
グラフトをさらに備え、前記ステント部材の遠位側の頂点の少なくとも一つは一つ以上の縫合糸を使用して前記グラフトに取り付けられる、請求項１６または請求項１７に記載のステント部材。
【請求項１９】
前記グラフトに取り付けられた第二のステント部材をさらに備え、前記第二のステント部材は、複数の近位側の頂点と、複数の略直線部によって前記近位側の頂点に連結された複数の遠位側の頂点と、を備え、
近位側の頂点の各々は第一の曲線部を含み、遠位側の頂点の各々は第二の曲線部を含み、
前記第一の曲線部と前記第二の曲線部との各々は、少なくとも一つの曲率半径を有し、前記遠位側の頂点の少なくとも一つの前記曲率半径は前記近位側の頂点の少なくとも一つの前記曲率半径よりも大きい、請求項１８に記載のステント部材。
【請求項２０】
少なくとも一つの分枝ステント、グラフト、またはその組合せをさらに備え、その一部は少なくとも近位側の頂点の内径を横に経由して配置される、請求項１６から請求項１９のいずれかに記載のステント部材。
【発明の詳細な説明】
【技術分野】
【０００１】
本出願は、ステント部材に関し、特に、小さな外形の（low profile）非対称のステン
トを備えるステント部材に関する。
【０００２】
本発明は、概して、病状を治療するために体内の管で使用されるステントに関する。本発明のいくつかの局面は、より小さな外形を有し、不規則な血管の形状によりよく従い、および／または、従来のステント部材よりも高い封止力を有する、ステント部材を提供しようとするものである。
【背景技術】
【０００３】
ステントは、種々の目的で、生体構造血管または導管内に挿入されることができる。ステントは、以前に閉塞または収縮された通路内の開存性を、たとえばバルーン血管形成処置を受けて、維持または回復できる。他のステントは、異なる処置のために使用されてもよい。たとえば、グラフトの内または周囲に設置されたステントは、動脈瘤を治療するために、グラフトを開いた形状に保持するために使用されている。加えて、グラフトの一端または両端に結合されたステントは、近位側または遠位側にグラフトから離れて延び、動脈瘤の疾患部分から離れた血管壁の健康な部分に係合して、血管内にグラフトを固定することができる。
【発明の概要】
【発明が解決しようとする課題】
【０００４】
ステントは、自己拡張型またはバルーン拡張型のいずれかであってもよく、もしくは両方の型式のステントの性質を有してもよい。種々の現存する自己拡張型およびバルーン拡張型ステントの構造および形状は、略対称な端領域を備える。端領域は、一つ以上の頂点を含み、ニチノールまたは他の合金製の線で形成されて輪を形成する。この頂点は一般的に、比較的鋭い曲がりを備え、または幾分とがった表面を呈し、これにより、頂点の急角度の曲がりのために、比較的小さい送達形状へステントを圧縮することが容易になる。この利点を有するにもかかわらず、ある状況では、特に、たとえば胸大動脈のような、湾曲したまたはねじれた血管構造において、そのような比較的鋭いまたはとがった頂点は望まれないことがある。
【０００５】
胸大動脈は、胸部動脈瘤または解離を治療するために使用されるステントグラフトにとって、困難な解剖学的構造を呈する。胸大動脈は、（心臓に近い）上行胸大動脈と（腹部大動脈へ向かって延びる）下行胸大動脈との間に延在する、胸管弓として知られる湾曲を備える。胸部ステントグラフトは、胸大動脈瘤を除去するために使用される。胸管弓のねじれた解剖学的構造に順応するためのステントグラフトの能力が、主な懸念である。現状の構造はときどき、（心臓に最も近い）ステントグラフトの近位端において、所望の封止能力を欠く。また、現状の胸部用の装置は比較的大きな外形を呈し、これにより、ある患者の解剖学的構造が問題になり得る。結局、現状のステントの多くは、比較的鋭い先端を有し、当該先端は、患者の体内で長期間経過した後に動脈の壁に望まない作用を起こす恐れのために、大動脈弓内でのステントの使用を妨げる。
【０００６】
それゆえに、鋭い頂点のあるステントよりも、拡張された状態で組織を冒すことの少ない、少なくとも一つの比較的丸みのある頂点を有する概して非対称のステントは、上記の問題を軽減し得る一方、大動脈弓によりよく順応し、封止および／または調整ステントとして使用される場合には径方向の力をより増大させ、また丸められて容易に導入可能な径にされる所望の能力を提供し得る。
【課題を解決するための手段】
【０００７】
本発明は概して、病状を治療するために体内の管で使用されるステントに関する。特に、本発明は、対向する湾曲した頂点の組を有し、一組の頂点の湾曲した部分が他の組の頂点の湾曲した部分よりも大きい曲率半径を有し、従来のステントよりも小さい外形を呈してもよい、ステントに関する。この構成は、非対称なステントを提供する。具体的には、現在示されている実施の形態のステントは、小さい外形を維持する一方、（たとえば、胸大動脈、特に動脈弓の領域内において見られる）大きくねじれた解剖学的構造によりよく順応し、現在のいくつかの装置に比較してより優れた径方向の封止力を与えることができる。他の局面では、現在示されているステントは、たとえば付属的なステントおよび／またはステントグラフトの設置を可能にするステントまたはステントグラフト装置という状況では、支持および空間を設けることができる。
【０００８】
一実施例では、本発明は、少なくとも一つの近位側の頂点と、複数の略直線状の部分により近位側の頂点に連結された少なくとも一つの遠位側の頂点とを含み、各々の近位側の頂点は第一湾曲部を含み、各々の遠位側の頂点は第二湾曲部を備え、第一湾曲部と第二湾曲部との各々は少なくとも一つの曲率半径を含み、少なくとも一つの近位側の頂点の曲率半径は少なくとも一つの遠位側の頂点の曲率半径よりも大きい、ステントを含んでもよい。
【０００９】
他の実施例では、本発明は、交互に対向し略湾曲した頂点の輪を含むステントに形成され、第一の方向における複数の頂点の曲率半径は反対方向における頂点の曲率半径よりも大きい、少なくとも一つの金属線を含んでもよい。
【００１０】
有利には、丸みのある頂点が導管との組織を傷つけない接触を設け、一方、より丸みの大きい頂点とより丸みの小さい頂点との組合せが、導入中の望ましい圧縮性と、導管内に留置されたとき望ましい順応性および封止性のある外形とを含む、外形の小さいステントを提供してもよい。
【００１１】
本発明は、以下の図面および説明を参照して、よりよく理解され得る。図中の構成要素は必ずしも縮尺通りではなく、その代わりに、強調して描かれ本発明の原理を図示している。さらに、図面では、異なる図の全体を通して、同様の参照番号が対応する部品を示す。
【図面の簡単な説明】
【００１２】
【図１】対称のステントの異なる図を示す図である。
【図２】対称のステントの異なる図を示す図である。
【図３】対称のステントの異なる図を示す図である。
【図４】非対称のステントの一実施例を示す図である。
【図５】図４のステントの非対称の曲率半径を図式的に示す図である。
【図６】模擬された動脈内にある図４のステントを示す図である。
【図７】非対称のステントの別の実施例を示す図である。
【図８】さらに他の実施例のステントの非対称の曲率半径を図式的に示す図である。
【図９】模擬された動脈内にある図８のステントを示す図である。
【図１０】非対称のステントのさらに他の実施例の端面図を示す図である。
【図１１】図１０のステントの側面図を示す図である。
【図１２】図１０のステントの上側斜視図である図である。
【図１３】模擬された動脈内にある図１０のステントを示す図である。
【図１４】図１０のステントを組み入れるステントグラフトの部分斜視図である。
【図１５】図１４のステントグラフトの側面図を示す図である。
【図１６】側枝を有するステントグラフトを示す図である。
【図１７】側枝を有するステントグラフトを示す図である。
【図１８】側枝を有するステントグラフトを示す図である。
【発明を実施するための形態】
【００１３】
好ましい実施例の詳細な説明
本発明は概して、病状を治療するために体内の管で使用されるステントに関する。特に、本発明は、対向する湾曲した頂点の組を有し、一組の頂点の湾曲した部分が他の組の頂点の湾曲した部分よりも大きな曲率半径を有し、従来のステントよりも小さい外形を呈してもよい、新規な非対称のステントに関する。より小さい外形は、特にねじれたまたは小径の導管に関する患者内での使用のために、利点を呈する。
【００１４】
本出願において、「近位」の語は、医療処置中の心臓に概して最も近い方向をいい、一方「遠位」の語は、医療処置中の心臓から最も離れる方向をいう。本明細書を通して、近位側および遠位側の頂点が参照される。しかし、当該技術分野における当業者は、本発明のステントの近位−遠位の方位が本発明の範囲を超えることなく逆であってもよいことを認識するであろう。
【００１５】
図４−１５に示すように、この新規のステントは、対向する近位側の頂点と遠位側の頂点との曲率半径がステントの最上部と底部とで異なる点において、市場で入手可能な多くのステントのように対称ではない。ステントは、ステントグラフトのいずれかの端部に取り付けられて封止を設けてもよく、グラフト材料に対し内方または外方に使用されてグラフトに対する支持を与えてもよい。
【００１６】
非対称のステントは、グラフトとともに使用されるとき、グラフト材料を動脈の壁に対して開いた状態に保持するために、グラフトの端部の開口において十分に強い径方向の力を与えるように形成されてもよい。また、患者の解剖学的構造に適応させるために十分な柔軟性をグラフトが含むように、ステントは長さが短いことが意図される。この柔軟性と強い径方向の力との組み合わせにより、グラフトと動脈壁との間のよりよい封止性が提供される。
【００１７】
図１は、対称の頂点１０２，１０３を有する、従来のステント１００を示す。具体的には、近位側の頂点１０２と遠位側の頂点１０３とは全て、略同一の曲率半径（ｒ１）を有する。この曲率半径は図２に図式的に示される。図３は、ＦＥＡ外形シミュレーション（FEA contour simulation）から改作された、模擬された動脈１１０内のステント１００を示し、ここでステント１００は２０％寸法を大きくされている。（丸く囲まれた）近位側の頂点１０２と遠位側の頂点１０３とは、動脈壁１１０に対してほとんどまたは全く圧力を作用しない。一方、中間領域１０７はより大きい圧力を作用し、一実施例では、０．１７８重量ポンドの径方向の全封止力を与える。この構成は、（たとえばカテーテルを介した導入のために）１８フレンチに丸められてもよく、この場合頂点１０２，１０３において約５．８％の最大の曲げ歪みを有する。たとえば、典型的なニッケルチタン合金の金属線をステントに使用するとき、金属線の変形またはその耐久性への悪影響の可能性が増大するのを回避するために、９％の歪みを超えないことが望ましい。
【００１８】
図４−７は、非対称のステント２００の第一の実施例を示す。非対称のステント２００は、中間の略直線部分によって互いに隔てられた、概して湾曲した非対称の近位側および遠位側の頂点部（複数の頂点）２０２，２０３を有する、金属線の輪として形成される。具体的には、遠位側の頂点２０３は全て、互いに略同一の曲率半径ｒｄを有する。しかし、遠位側の頂点の曲率半径は、近位側の頂点２０２の曲率半径（ｒｐ）と異なる。遠位側の頂点２０３（図１４−１５を参照して以下に説明されるステントグラフトのグラフト材
料に取り付けられ、グラフト材料によりほぼ覆われてもよい）は、従来のｚステントと変わらない、概してきつい丸みを有する。しかし近位側の頂点２０３は、より大きい丸みを有する。近位側の頂点２０２と遠位側の頂点２０３との違いは、図５に絵的に図示される。図示された例では、丸みのある近位側の頂点２０２は６．０ｍｍの曲率半径を有する。一方、よりきつい遠位側の頂点２０２は、１．０ｍｍの曲率半径を有する。本発明に係る非対称のステントの特定の実施例では、丸みのある近位側の頂点の曲率半径（図５に示す方法で測定される）は、約４ｍｍ〜約９ｍｍであってもよく、よりきつい遠位側の頂点の曲率半径は、約０．５ｍｍ〜約１．５ｍｍであってもよい。
【００１９】
これらのおよび他の実施例では、遠位側の頂点の曲率半径に対する近位側の頂点の曲率半径の比は、約２．６：１〜約１８：１であってもよく、望ましくは約６：１であってもよい。ステント２００の外周は好ましくは、この構成においてステント２００の周囲の堅固な外表面が円筒を形成するように、略不変である。もっとも、ステントはもっとも好ましくは、円筒よりも滑らかでない表面に順応するのであろうが。
【００２０】
図６は、ＦＥＡ外形シミュレーションから改作された、模擬された動脈２１０内のステント２００を示し、ここでステント２００は２０％寸法を大きくされている。近位側および遠位側の頂点２０２，２０３（丸で囲まれている）は、動脈壁２１０にほとんどまたは全く圧力を作用しない。一方、中間領域２０４（角で囲まれている）は、より大きな圧力を作用し、図示された実施例では、合計約０．１６０重量ポンドの径方向の封止力を与える。この構成は、１８フレンチに丸められてもよく、この場合頂点２０２，２０３において約６．５％の最大曲げ歪みを有する。
【００２１】
図７は、他の非対称ステント２５０の実施の形態を示す。この実施の形態は、図４−６の実施の形態と非常に類似するが、より小さな近位−遠位方向の長さを有する。図４−７に示す実施例の各々は、現状のｚステントと実質的に同一の方法に、近位側の頂点を遠位側の頂点よりも大きな曲率半径を含むように形成することのみを変更して、製造されてもよい。
【００２２】
図８−９は、非対称のステント３００の他の実施例を示す。非対称のステント３００は、図４−７を参照して上述された実施例の略半球状の形状ではなく、「丸屋根形状」の近位側の形状を有する。各々の近位側の頂点３０２の形状は、中央丸み（central fillet）３０２ａと、一対の対称の対向する肩丸み（shoulder fillet）３０２ｂと、を含む。肩
丸み３０２ｂは、中央丸み３０２ａから略等距離にあってもよく、異なる距離に配置されてもよい。ステント３００の近位側の頂点として、中央丸み３０２ａの各々は１．０ｍｍの曲率半径を有し、肩丸み３０２ｂの各々は０．５ｍｍの丸み曲率半径を有する。遠位側の頂点３０４は１．０ｍｍの曲率半径を有する。丸屋根形状を有する他の実施例（図示せず）では、近位側の頂点の中央および肩丸みは各々、たとえば０．５ｍｍの同一の曲率半径を有し、遠位側の頂点もまた０．５ｍｍの曲率半径を有してもよい。他の実施例では、中央および肩丸み３０２ａ，３０２ｂは各々約０．５ｍｍ〜約５ｍｍの曲率半径を有し、遠位側の頂点は約０．５ｍｍ〜約１．５ｍｍの曲率半径を有してもよい。丸屋根形状を有する他の実施例（図示せず）では、近位側の頂点の中央丸みと各々の肩丸みとの曲率半径の比は約３：１であってもよい。図８はまた、ステントの実施の形態において望ましい比を説明するために有用な三つの距離を示す。「Ｘ」は、肩丸み３０２ｂの頂点の先端間の距離を示す。「Ｙ」は、遠位側の頂点３０４の先端間の距離を示す。「Ｎ」は、遠位側の頂点３０４の先端と近位側の丸み３０２ａの頂点の先端との間の、長手軸に沿う距離を示す。望ましい実施の形態は、約１：３〜約７：８のＸ：Ｙの比と、約１：１〜約３：１のＹ：Ｎの比とを含んでもよい。さらに他の実施例（図示せず）では、この実施例の丸い頂点が、図４−７を参照して述べられた実施例の略半球状の頂点に組み合わされてもよい。
【００２３】
図９は、ＦＥＡ外形シミュレーションから改作された、模擬された動脈３１０内のステント３００を示し、ここでステント３００は２０％寸法を大きくされている。近位側および遠位側の頂点３０２，３０４は、動脈壁３１０にほとんどまたは全く圧力を作用しない。一方、中間領域は、より大きな圧力を作用し、図示された実施例では、合計約０．４２０重量ポンドの径方向の封止力を与える。この構成は、１８フレンチに丸められてもよく、この場合頂点において９％以下の最大曲げ歪みを有する。この実施例のより大きな封止力は、既存のｚステントと比較して、特定の環境におけるステントの配置および保持に対する利点を提供する。
【００２４】
図１０−１３は、非対称のステント４００の他の実施例を示す。非対称のステント４００は、図１０に示すように、広げられた「花形状」を有する。具体的には、ステント４００が広げられた形状のとき、より丸みの大きい近位側の頂点４０２の周囲の円周は、より丸みの小さい遠位側の頂点４０４の周囲の円周よりも大きい。このことは図１１−１４により明確に示される。この構成において、広げられたステント４００の周囲の堅固な外表面は円錐台を形成する。この構成は、図４−７を参照して上述された実施例と同様の方法（すなわち、略均一な外周を有するステントを製造すること）に、より小さな径のグラフト材料に縫合する際に遠位側の頂点４０４をより小さな円周に引くことを含み得る追加のステップを加えて、製造されてもよい。その代わりとして、または加えて、ステント４００は熱硬化され所望の形状にされてもよい。
【００２５】
図１３は、ＦＥＡ外形シミュレーションから改作された、模擬された動脈４１０内のステント４００を示し、ここでステント４００は２０％寸法を大きくされている。驚くべきことに、近位側および遠位側の頂点４０２，４０４と同様に中間領域に沿う圧力分布の形状は、ステントの周囲全体を通じて略均一である。図示された構成は、合計約０．１８７重量ポンドの径方向の封止力を与える。この略均一な圧力分布という特性は、特定の用途において封止を与える、および／または、より不均一な圧力分布を有するステントと比較してグラフト材料を介した管壁の磨耗をより少なくする、という利点を供し得る。
【００２６】
図１４−１５は、図１０−１３を参照して上述された本発明のステント４００の実施例を使用したステントグラフト５００の、二つの異なる図を示す。ステントグラフト５００は、拡張した状態で示され、胸部大動脈瘤の治療で使用されるために形成されてもよい。ステント４００は、略円筒状のグラフトスリーブ５０２の近位側端に配置され、その遠位側の頂点４０４は縫合糸５０４によってグラフトスリーブ５０２に固着されている。ステントグラフト５００はまた、ステント４００から遠位側に配置された、一連のｚステント５１０ａ−ｄを含む。第一のｚステント５１０ａはグラフト５０２の内周に取り付けられ、他のｚステント５１０ｂ−５１０ｄはグラフト５０２の外径に取り付けられている。ステント４００の近位側端は、患者の管（たとえば血管）内のグラフトの固定を容易にできるように、グラフトの近位側端を越えて延在している。
【００２７】
ステントの丸みのある先端は、図１４−１５に示すように、グラフト材料から僅かな距離のみ突出してもよい。この実施例では、むき出しの金属線の小さな部分のみが動脈壁に露出する。これらの特徴的な（大きな半径の）丸みのある先端は、異なるステント形状のより鋭い先端よりも、動脈壁を刺通する可能性がより少ない。有利には、この非対称のステント構造は、封止の効能を最大化する一方、動脈壁の状態を維持する。具体的には、ステントのよりきつい頂点は望ましい径方向の拡張／封止力を与え、丸みのあるより大きな頂点は望ましくは組織を傷つけない動脈壁との接触を提供する。
【００２８】
図１６−１８は、より大きい丸みのある近位側の頂点６０４とよりきつい丸みのある遠位側の頂点６０６とを有する、非対称のステント６０２を含む、ステントグラフト６００の実施の形態を示す。ステント６０２は、略円柱状のグラフト６１０の内面（図示せず）
または外面に縫合糸により取り付けられている。グラフト６１０は他のステント６０８を含む。グラフト材料６１２の第二層はまた、グラフト６１０の内周にその長手の中ほどに取り付けられ、ステント６０２の内周を経由して近位側へ延びる。
【００２９】
図１７の端面図に示すように、この構造は、枝構造６１４（たとえば、管状または非管状のステント、ステントグラフト、もしくは本明細書中に例示の目的で示された一般的な管状の構造として具体的に表現されてもよい）のための通路を設けるが、枝構造６１４は、二つの層６１０，６１２の間に形成された通路と、グラフト６１０の開口６１１とを通り抜ける。管状構造６１４は有利には、ステント６０２のより大きな丸みのある近位側の頂点６０４の内径をほぼ横に経由して配置されているが、これにより、グラフト６１０のための組織を傷つけない円柱状の支持と、筒状構造６１４用の固着とが設けられる。ステントグラフト６００は、短いネック部を有し、効果的な近位側の封止を形成して現状入手可能な腹部大動脈瘤（ＡＡＡ）ステントグラフトにおいて起こり得る近位側のタイプＩのエンドリークを回避するために十分な接触面積を欠くような腎動脈のすぐ近くにある、または腎動脈を横切る、ＡＡＡの治療のために、特に有用であり得る。当該技術分野における当業者は、ステントグラフト６００がＡＡＡをほぼ閉塞させることができる一方、下行大動脈を経由する大動脈から腎動脈までの斬新な通路を設けることを認識するであろう。具体的には、ステントグラフト６００の実施の形態のように形成されたステントグラフトは、分枝ステントおよび／またはステントグラフトを含むモジュール構造を含むが、腎動脈の上方と腹腔動脈および上腸間膜動脈の下方とに封止を形成することができる。また、図１６に示されるように、分枝管構造６１４のための付加的な組織を傷つけない支持を与える反対側の方位において第一の非対称のステント６０２に隣接して、第二の非対称のステント６２２が配置されてもよい。
【００３０】
本発明のステントの実施例は、ニッケルチタン合金またはその他の現在公知または未だ開発中の材料により形成されてもよく、全て本発明の範囲内にある。ステントは好ましくはニチノールの金属線から作られ、それゆえにＭＲＩに適合できる。ニチノールの超弾性特性は、小さい外形の送達装置の内部に丸められるステントの能力を促進するであろう。
【００３１】
本発明の種々の実施例が開示されたが、本発明は、添付の特許請求の範囲およびその均等物を考慮する他に、制限されるものではない。さらに、本明細書中に開示された利点は、必ずしも本発明の唯一の利点ではない。本発明の各実施例が開示された利点の全てを達成することは、必ずしも期待されない。
【図１】
2019134922.tif 000003
【図２】
2019134922.tif 000004
【図３】
2019134922.tif 000005
【図４】
2019134922.tif 000006
【図５】
2019134922.tif 000007
【図６】
2019134922.tif 000008
【図７】
2019134922.tif 000009
【図８】
2019134922.tif 000010
【図９】
2019134922.tif 000011
【図１０】
2019134922.tif 000012
【図１１】
2019134922.tif 000013
【図１２】
2019134922.tif 000014
【図１３】
2019134922.tif 000015
【図１４】
2019134922.tif 000016
【図１５】
2019134922.tif 000017
【図１６】
2019134922.tif 000018
【図１７】
2019134922.tif 000019
【図１８】
2019134922.tif 000020
【図１９】
2019134922.tif 000021
【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
ステントであって、
複数の略直線部で接続された複数の近位側の頂点と遠位側の頂点とを備え、
それぞれの近位側の頂点は第１の曲線部を備え、それぞれの遠位側の頂点は第２の曲線部を備え、前記第１の曲線部および前記第２の曲線部はそれぞれ少なくとも１つの曲率半径を備え、前記近位側の頂点の少なくとも１つの曲率半径は前記遠位側の頂点の少なくとも１つの曲率半径よりも大きく、
前記遠位側の頂点の１つの第１の曲率半径は約０．５ｍｍ〜約１．５ｍｍであり、
前記近位側の頂点の１つの第２の曲率半径は約４ｍｍ〜約９ｍｍであり、
前記第２の曲率半径に対する前記第１の曲率半径の比は約１：２．６〜約１：１８である、ステント。
【請求項２】
近位および遠位端を有するグラフトをさらに備え、前記ステントの前記遠位側の頂点の少なくとも１つは前記グラフトに取り付けられている、請求項１に記載のステント。
【請求項３】
前記ステントの複数の近位側および遠位側の頂点はそれぞれ前記グラフトと軸方向に重なり合う、請求項２に記載のステント。
【請求項４】
前記ステントは前記グラフトに対して径方向内側または外側を向きあう少なくとも１つの覆われていない領域を備える、請求項２に記載のステント。
【請求項５】
略連続する複数の近位側の頂点と遠位側の頂点とを備え、その外面は略不変の円周を有する円筒を規定する、請求項１に記載のステント。
【請求項６】
前記第１の曲率半径は約１ｍｍで、前記第２の曲率半径は約６ｍｍである、請求項１に記載のステント。
【請求項７】
前記近位側の頂点はそれぞれ、周方向に前記遠位側の頂点からずれている、請求項１に記載のステント。
【請求項８】
略連続する複数の近位側の頂点と遠位側の頂点とを備え、その外面は円錐台を規定する、請求項１に記載のステント。
【請求項９】
前記近位側の頂点の少なくとも１つは、前記第２の曲線部から離れて配置された第１の丸みと第２の丸みとを備え、前記第１の丸みは第１の丸み曲率半径を備え、前記第２の丸みは第２の丸み曲率半径を備える、請求項１に記載のステント。
【請求項１０】
前記第１の丸み曲率半径と前記第２の丸み曲率半径とはそれぞれ約１ｍｍの曲率半径を有し、前記第１の曲線部は約０．５ｍｍの曲率半径を有する、請求項９に記載のステント。
【請求項１１】
ステントであって、
複数の略直線部で接続された複数の近位側の頂点と遠位側の頂点とを備え、
それぞれの近位側の頂点は第１の曲線部を備え、それぞれの遠位側の頂点は第２の曲線部を備え、前記第１の曲線部および前記第２の曲線部はそれぞれ少なくとも１つの曲率半径を備え、前記遠位側の頂点の少なくとも１つの曲率半径は前記近位側の頂点の少なくとも１つの曲率半径よりも大きく、
前記近位側の頂点の１つの第１の曲率半径は約０．５ｍｍ〜約１．５ｍｍであり、
前記遠位側の頂点の１つの第２の曲率半径は約４ｍｍ〜約９ｍｍであり、
前記第２の曲率半径に対する前記第１の曲率半径の比は約１：２．６〜約１：１８である、ステント。
【手続補正２】
【補正対象書類名】図面
【補正対象項目名】図１９
【補正方法】削除
【補正の内容】
【外国語明細書】
2019134922000001.pdf